(57)【特許請求の範囲】
【請求項１】
複数のＬＥＤと、前記ＬＥＤを臨ませる始端開口を底部に設けた放物反射面を前記ＬＥＤごとに有する反射ユニットとを備え、
前記ＬＥＤは、パッケージ基板を備え、このパッケージ基板に、平面視略円形のリフレクタを凹設し、このリフレクタの中心部に複数のＬＥＤ素子を配置し、これらのＬＥＤ素子を取り囲む大きさを有した１つの発光点として光学設計上取り扱われるように構成するとともに、
前記放物反射面のそれぞれを、前記ＬＥＤが配される底部から終端開口までの軸長を超狭角配光が得られる長さとし、前記終端開口の径を１／２ビーム角が５〜７度となる径としつつ、それぞれの前記放物反射面を互いに平行に設け、
所定距離離れた照射野で前記放物反射面のそれぞれから放射した光が重なるピッチで前記ＬＥＤ及び放物反射面のそれぞれを配置した、
ことを特徴とするＬＥＤ照明器具。
【請求項２】
前記リフレクタの中心部に前記ＬＥＤ素子を配置し、このＬＥＤ素子の周囲に他のＬＥＤ素子を配して１つの発光点として光学設計上取り扱われるように構成したことを特徴とする請求項１に記載のＬＥＤ照明器具。
【請求項３】
前記ＬＥＤ及び前記放物反射面を納める熱伝導性材から成る灯体ケースを備え、当該灯体ケースの正面から前記放物反射面の終端開口側を突出させ、当該突出させた部位を樹脂製の透明な前面カバーで覆ったことを特徴とする請求項１または２に記載のＬＥＤ照明器具。
【請求項４】
前記反射ユニットはユニット本体が熱伝導性を有する素材により成形され、前記ユニット本体は側面視形状が前記放物反射面に沿った略放物線形状を成し、前記放物反射面を長軸に沿って互いに同一形状に分割して成る分割放物反射面のそれぞれに反射膜を形成し、それぞれの分割放物反射面を合わせて前記放物反射面を構成したことを特徴とする請求項１ないし３の何れか一項に記載のＬＥＤ照明器具。
【請求項５】
前記リフレクタには各ＬＥＤ素子を覆う封入樹脂が充填されていることを特徴とする請求項１ないし４の何れか一項に記載のＬＥＤ照明器具。
【発明の詳細な説明】
【技術分野】
【０００１】
本発明は、ＬＥＤを光源に備えるＬＥＤ照明器具に係り、特に、遠方の対象物を十分な明るさで演出照明する投光器として用いて好適なＬＥＤ照明器具に関する。
【背景技術】
【０００２】
建物等の演出照明に供される照明器具では、その光源に高出力化が容易なＨＩＤ（High Intensity Discharge）ランプが広く用いられている。近年では、高寿命化、灯具の小型、軽量化が可能なＬＥＤが光源として注目され、また、照明器具として実用化されている。
すなわち、ＨＩＤランプを光源とする照明器具においては、配光制御を反射鏡で行っており、器具効率を高めるためにＨＩＤランプの放射光を可能な限り反射する大きさの反射鏡を用いる必要があるから器具が大型、重量化する。これに対し、ＬＥＤを光源とする照明器具においては、ＬＥＤが、その放射面から光を放射する構造であることから当該放射面にレンズを配して配光制御する構成が一般的である。この構成によれば、ＬＥＤの放射光の全てを小型・軽量のレンズで制御することができることから、器具の小型、軽量化が可能になる（例えば、特許文献１参照）。
【先行技術文献】
【特許文献】
【０００３】
【特許文献１】特開２００６−１２８２１７号公報
【発明の概要】
【発明が解決しようとする課題】
【０００４】
しかしながら、照射対象物が数十〜百数十メートル以上離れた遠方にある場合、照射対象物を十分な明るさで照らすためには、非常に高出力なＬＥＤを光源に採用する必要がある。また、従来のように、配光制御にレンズを使用した場合、照射面に色収差が発生する。
この問題を解決するに、配光制御に反射鏡を用いることが考え得るが、反射鏡を単純に用いた場合、レンズに比べて光源の放射光の全てを制御できないため軸光度が低下し、遠方で所望の明るさが確保できない。ＨＩＤランプを光源に採用した従来の照明器具では、当該ＨＩＤランプ自体が比較的大きいため、反射鏡で反射仕切れない光に起因した軸光度不足が顕著になるものの、ＨＩＤランプを高出力化し光軸上の光束を増やすことで軸光度不足を補っていた。しかしながら、ＬＥＤにおいては、出力を高めたとしてもＨＩＤランプ程の光束増加は望めないため、そのままでは所望の軸光度が得られない。
【０００５】
本発明は、上述した事情に鑑みてなされたものであり、遠方の対象物を十分な明るさで照明することができるＬＥＤ照明器具を提供することを目的とする。
【課題を解決するための手段】
【０００６】
上記目的を達成するために、本発明は、複数のＬＥＤと、前記ＬＥＤを臨ませる始端開口を底部に設けた放物反射面を前記ＬＥＤごとに有する反射ユニットとを備え、前記ＬＥＤは、パッケージ基板を備え、このパッケージ基板に、平面視略円形のリフレクタを凹設し、このリフレクタの中心部に複数のＬＥＤ素子を配置し、これらのＬＥＤ素子を取り囲む大きさを有した１つの発光点として光学設計上取り扱われるように構成するとともに、前記放物反射面のそれぞれを、前記ＬＥＤが配される底部から終端開口までの軸長を超狭角配光が得られる長さとし、前記終端開口の径を１／２ビーム角が５〜７度となる径としつつ、それぞれの前記放物反射面を互いに平行に設け、所定距離離れた照射野で前記放物反射面のそれぞれから放射した光が重なるピッチで前記ＬＥＤ及び放物反射面のそれぞれを配置した、ことを特徴とするＬＥＤ照明器具を提供する。
【０００７】
また本発明は、前記リフレクタの中心部に前記ＬＥＤ素子を配置し、このＬＥＤ素子の周囲に他のＬＥＤ素子を配して１つの発光点として光学設計上取り扱われるように構成したことを特徴とする。
また本発明は、上記ＬＥＤ照明器具において、前記ＬＥＤ及び前記放物反射面を納める熱伝導性材から成る灯体ケースを備え、当該灯体ケースの正面から前記放物反射面の終端開口側を突出させ、当該突出させた部位を樹脂製の透明な前面カバーで覆ったことを特徴とする。
また本発明は、前記反射ユニットはユニット本体が熱伝導性を有する素材により成形され、前記ユニット本体は側面視形状が前記放物反射面に沿った略放物線形状を成し、前記放物反射面を長軸に沿って互いに同一形状に分割して成る分割放物反射面のそれぞれに反射膜を形成し、それぞれの分割放物反射面を合わせて前記放物反射面を構成したことを特徴とする。
また本発明は、前記リフレクタには各ＬＥＤ素子を覆う封入樹脂が充填されていることを特徴とする。
【発明の効果】
【０００８】
本発明によれば、ＬＥＤが配される底部から終端開口までの軸長を超狭角配光が得られる長さとし、終端開口の径を１／２ビーム角が５〜７度となる径としたことから、従来のものよりも平行光線が放物反射面の長軸に集められ軸光度を向上させることができる。さらに、遠方での照射野の拡がりが抑えられ十分な照度を維持することができる。
また、かかる放物反射面は、長さが通常よりも非常に長くなることから均一な反射面の形成が困難となるが、本発明では、当該放物反射面を長軸に沿って互いに同一形状に分割して成る分割放物反射面のそれぞれに反射膜を形成し、それぞれの分割放物反射面を合わせて放物反射面を構成するため、均一な放物反射面を簡単に形成することができる。
【図面の簡単な説明】
【０００９】
【図１】本発明の第１実施形態に係るＬＥＤ照明器具の外観構成を示す斜視図である。
【図２】ＬＥＤ照明器具の構成を示す図であり、（Ａ）は正面図、図２は（Ａ）のＩ−Ｉ線における断面視図である。
【図３】ＬＥＤユニットの構成を示す図であり、（Ａ）はＬＥＤユニットの平面図、（Ｂ）はＬＥＤユニットが備えるＬＥＤを拡大して示す図、（Ｃ）は当該ＬＥＤの別例を拡大して示す図である。
【図４】反射ユニットの構成を示す図であり、（Ａ）は正面図、（Ｂ）は平面図、（Ｃ）は側面図である。
【図５】分割放物反射面の平面図である。
【図６】本発明の第２実施形態に係るＬＥＤ照明器具の外観構成を示す斜視図である。
【図７】ＬＥＤ照明器具の正面図である。
【図８】ＬＥＤ照明器具の側面図である。
【図９】ＬＥＤ照明器具を背面側からみた斜視図である。
【図１０】本発明の変形例に係る放物反射面の配置例を示す図であり、（Ａ）は多列配置、（Ｂ）は同心円状配置を示す。
【発明を実施するための形態】
【００１０】
以下、図面を参照して本発明の実施形態について説明する。
＜第１実施形態＞
図１は、本実施形態に係るＬＥＤ照明器具１の外観構成を示す斜視図である。また、図２はＬＥＤ照明器具１の構成を示す図であり、図２（Ａ）は正面図、図２（Ｂ）は図２（Ａ）のＩ−Ｉ線における断面視図である。
ＬＥＤ照明器具１は、数十メートル〜百数十メートル離れた遠方の対象物のライトアップに用いて好適な器具（投光器）であり、図１及び図２に示すように、ＬＥＤユニット３（図２）と、反射ユニット５と、これらを納めた灯体ケース７とを備えている。ＬＥＤユニット３は、複数個（図示例では５個）のＬＥＤ９を一列に配列して構成されている。また、反射ユニット５には、それぞれのＬＥＤ９に対応して放物反射面１１が設けられている。そして各放物反射面１１でＬＥＤ９の放射光が平行光化されて出射される。
以下、各部をより詳細に説明する。
【００１１】
図３はＬＥＤユニット３の構成を示す図であり、図３（Ａ）はＬＥＤユニット３の平面図、図３（Ｂ）はＬＥＤユニット３が備えるＬＥＤ９を拡大して示す図、図３（Ｃ）は当該ＬＥＤ９の別例を拡大して示す図である。
ＬＥＤユニット３は、同図に示すように、横長に延びる一枚の回路基板１３に、５個のＬＥＤ９を一定のピッチＰ（後に詳述）で一列に配置して構成され、当該回路基板１３の裏面側には各ＬＥＤ９の点灯回路が実装されている。本実施形態では、約２０Ｗ（ワット）の出力のＬＥＤ９を５個用いることで約１００Ｗ（ワット）の出力のＬＥＤユニット３を構成している。
【００１２】
ＬＥＤ９は、図３（Ｂ）に示すように、複数個（図示例では４個）のＬＥＤ素子（ＬＥＤチップ）１５を１つにパッケージ化して構成されている。すなわち、ＬＥＤ９は、平面視略正方形のパッケージ基板１７を備え、このパッケージ基板１７の上面１７Ａに、平面視略円形のリフレクタ１９を凹設し、このリフレクタ１９の中心部Ｏに複数のＬＥＤ素子１５を配置し、パッケージ基板１７の周囲に設けた正負の電極２１、２３から各ＬＥＤ素子１５に電力を供給し点灯する。また、リフレクタ１９には、各ＬＥＤ素子１５を一同に覆う封入樹脂２５が充填されている。上記ＬＥＤ素子１５は、それぞれ略中央に発光点Ｘを有し、これらのＬＥＤ素子１５が格子状に互いに密接配置されることで、これらＬＥＤ素子１５を取り囲む大きさを有した１つの発光点Ｑとして光学設計上取り扱われる。
このとき、図３（Ｂ）の例では、発光点Ｑの中心部ＯにＬＥＤ素子１５の発光点Ｘが無いことから、これらを１つの発光点Ｑとして光学設計した際に、照射野の輪郭が不鮮明になり、また、中心部Ｏが光軸となるので軸光度も低下する。そこで、図３（Ｃ）の例に示すように、リフレクタ１９の中心部ＯにＬＥＤ素子１５の発光点Ｘを配し、このＬＥＤ素子１５の周囲に他のＬＥＤ素子１５を配して発光点Ｑを構成したＬＥＤ９Ａとすることで照射野の輪郭が鮮明になり、また、軸光度の向上も得られる。
【００１３】
ただし、発光点Ｑが大きくなると点光源として取り扱えなくなる。したがって、後述する放物反射面１１に対して発光点Ｑが光学設計上点光源と見なせる程度の大きさに収まるように、ＬＥＤ素子１５をダウンサイズし、或いは、個数を減らすことが望ましい。しかしながら、ＬＥＤ素子１５を小型化し、或いは、個数を減らすと、これらをパッケージ化したＬＥＤ９の高出力化が難しくなる。このため、数十メートル〜百数十メートルという遠方を十分に照らす光源としては出力が不足することとなる。また、発光点Ｑが大きくても高出力なＬＥＤ９を採用すると、上述のように、照射野の輪郭が不鮮明になる。換言すれば、配光制御の精度の低下により器具効率も低下することから、遠方を十分に照らすためには、ＬＥＤ９の出力を無駄に高める必要がある。
【００１４】
この問題は、放物反射面１１を発光点Ｑが点光源と見なせる程度まで大きくすれば解決できる。しかしながら、放物反射面１１が非常に大きくなり、器具の大型・重量化を招き、光源にＬＥＤ９を採用したメリットが損なわれる。特に、本実施形態においては、後述するように放物反射面１１の軸長が長いため、器具の大型化が顕著となる。
そこで本実施形態では、１個のＬＥＤ９で光源を構成するのではなく、複数（本実施形態では５個）のＬＥＤ９を用いて１個のＬＥＤユニット３を構成している。この構成によれば、個々のＬＥＤ９の出力を低くできるので、発光点Ｑを小さくでき、より正確な配光制御が実現できるとともに放物反射面１１の大型化を招くことがない。
【００１５】
図４は反射ユニット５の構成を示す図であり、図４（Ａ）はその正面図、図４（Ｂ）はその平面図、図４（Ｃ）はその側面図である。
反射ユニット５は、ユニット本体３０に、ＬＥＤ９のピッチＰに合わせて放物反射面１１が横並びに設けて構成されている。このユニット本体３０は、図４（Ｂ）に示すように、側面視形状が上記放物反射面１１に沿った略放物線形状を成し、図２（Ｂ）に示すように、ユニット本体３０の底部３１がＬＥＤユニット３の回路基板１３上に位置するように灯体ケース７に支持される。また、反射ユニット５は、図４に示すように、それぞれの放物反射面１１の長軸Ｋを通る面で互いに同一形状になるように２分割して成る分割放物反射面ユニット３０Ａ、３０Ｂを備え、これらがネジで締結して構成されている。
【００１６】
図５は、分割放物反射面ユニット３０Ａの平面図である。なお、他方の分割放物反射面ユニット３０Ｂもこの図に示す構成と同様であるため図示及び説明は省略する。
分割放物反射面ユニット３０Ａは、例えばアルミニウム等の高熱伝導性を有する素材から鋳造により成形され、同図に示すように、長軸Ｋに沿って縦に２分割された放物反射面１１を露出した面を有する。この面には、鋳造後に、放物反射面１１の反射率を高めるためのアルミ蒸着が施され、その後、分割放物反射面ユニット３０Ａ、３０Ｂを接合して上記反射ユニット５が構成される。かかる構成によれば、放物反射面１１が深い場合であっても、その表面全体にアルミ蒸着膜を均一に形成することができ、効率の良い反射鏡が簡単に得られる。
【００１７】
反射ユニット５の放物反射面１１は、反射面を放物面とした凹面鏡であって、その底部３１には、ＬＥＤ９を臨む始端開口３３が設けられており、当該始端開口３３から放物反射面１１内に臨むＬＥＤ９が放射した放射光を平行光化して終端開口３５から出射する。平行光化して出射することで、遠方での光の拡がりを抑え照度低下を防止できる。
ただし、単に平行光化して出射するだけでは、照射対象物までの距離が遠くなったときの光量不足を解消することはできず、軸光度を如何に高めることが重要となる。そこで、本実施形態では、それぞれの放物反射面１１での軸光度を高めるために、各放物反射面１１の形状を次ぎのようにしている。
【００１８】
すなわち、図５に示すように、放物反射面１１を、ＬＥＤ９が配される底部３１から終端開口３５までの軸長Ｌを超狭角配光が得られる長さとし、なおかつ、終端開口３５の径Ｄ１を１／２ビーム角が５〜７度となる長さに形成している。ここで、本実施形態において、超狭角配光は、数十〜百数十メートル以上離れた箇所を照射するのに使用される配光であり、１／２ビーム角が５〜７度となる配光である。
【００１９】
具体的には、本実施形態では、ＬＥＤ９に幅Ｗ（図２（Ａ））が約６．４ｍｍのものを採用し、放物反射面１１の始端開口３３の径Ｄ２（図５）を、当該ＬＥＤ９の幅Ｗと同程度の大きさの約１１ｍｍとするとともに、当該始端開口３３から終端開口３５までの軸長Ｌを約１１６．５５ｍｍとし、また、終端開口３５の径Ｄ１（図５）を１／２ビーム角が５〜７度（本実施形態では５度）となる径である約８４．９ｍｍとしている。
これにより、放物反射面１１の終端開口３５の開きである径Ｄ１が軸長Ｌに対して従来よりも非常に小さな形状となり、また、カットオフ角θ（図５）も約１３．０３度と小さくなることから、従来のものよりも平行光線が放物反射面１１の長軸Ｋに集められ軸光度を向上させることができる。さらに、１／２ビーム角が５〜７度と小さいことから遠方での照射野の拡がりが抑えられ、遠方での照度が高められる。
【００２０】
反射ユニット５においては、上記の通り、複数の放物反射面１１のそれぞれから光を照射することで総合の出力を高めている。このとき、所定の遠方の照射野で、放物反射面１１のそれぞれの光が分離してしまうと、当該照射野で所望の照度が得られない。したがって、放物反射面１１（ＬＥＤ９）のピッチＰは、各放物反射面１１から放射された光の拡がりを考慮し、それぞれの放射光が所定遠方の照射野で重なりを持つように設定されている。これにより、ＬＥＤユニット３及び反射ユニット５を備えたＬＥＤ照明器具１の軸光度が高められ、遠方で十分な照度を維持することができるのである。
このとき、各放物反射面１１の長軸Ｋを互いに平行とすることで、所定距離離れた照射野で集光することもなく、高い軸光度を長距離に亘って維持することができる。
【００２１】
前掲図２に戻り、灯体ケース７は、正面視横長の箱形形状に構成され、熱伝導性の高い例えばアルミニウム合金により形成されている。その正面側には、反射ユニット５及びＬＥＤユニット３を収容する収容部４１が設けられ、この収容部４１の背後側には、電源回路などを納めるスペースが設けられており、また、取付用の支持アーム４３が設けられている。また、灯体ケース７の収容部４１は、図１及び図２に示すように、反射ユニット５の先端側（終端開口３５側）が正面に向けて突出する深さに成形されており、この突出した箇所を覆うように、ポリカーボネイト等の軽量な樹脂製透明カバー（前面カバー）４５が設けられている。このように灯体ケース７から反射ユニット５の先端側を突出させることで、意匠性に優れたＬＥＤ照明器具１が得られる他、灯体ケース７の前後の長さを短縮できるため軽量化及び低コスト化が可能になる。ただし、灯体ケース７の前後の長さは、灯体ケース７からＬＥＤユニット３の発熱を十分に放熱できる程度に設定されている。このとき、反射ユニット５の放物反射面１１の軸長Ｌが従来のものよりも長いため当該反射ユニット５の熱容量が増すことから灯体ケース７の更なる短縮化が可能になる。
【００２２】
以上説明したように、本実施形態によれば、放物反射面１１を、ＬＥＤ９が配される底部３１から終端開口３５までの軸長Ｌを超狭角配光が得られる長さとし、終端開口３５の径Ｄ２を１／２ビーム角が５〜７度となる径とする構成とした。
この構成によれば、従来のものよりも平行光線が放物反射面１１の長軸Ｋに集められ軸光度を向上させることができる。さらに、１／２ビーム角が小さいため遠方での照射野の拡がりが抑えられ十分な照度を維持することができる。これにより、約１００Ｗ（ワット）の出力のＬＥＤユニット３を光源として、１００メートル離れた対象物を十分な明るさで照らすことができるＬＥＤ照明器具１が得られる。
【００２３】
また本実施形態によれば、複数のＬＥＤ９を備えてＬＥＤユニット３を構成し、放物反射面１１をＬＥＤ９ごとに有する反射ユニット５を構成し、また、放物反射面１１を互いに平行に設け、所定距離離れた照射野で放物反射面１１のそれぞれから放射した光が重なるピッチＰで複数のＬＥＤ９及び放物反射面１１をそれぞれ配置する構成とした。
この構成により、１つのＬＥＤ９を無理に高出力化せずとも所定距離離れた照射野で十分な照度が得られる。また、各放物反射面１１が互いに平行であるため、所定距離離れた照射野で集光することもなく、高い軸光度を長距離に亘って維持することができる。
【００２４】
また本実施形態によれば、反射ユニット５の放物反射面１１の長軸Ｋに沿って分割して成る互いに同一形状の分割放物反射面ユニット３０Ａ、３０Ｂのそれぞれにアルミ蒸着をし、それぞれの分割放物反射面ユニット３０Ａ、３０Ｂを合わせて反射ユニット５を構成した。これにより、放物反射面１１が深い場合であっても、その表面全体にアルミ蒸着を均一に形成することができ、効率の良い反射鏡が簡単に得られる。
【００２５】
また本実施形態によれば、ＬＥＤユニット３及び反射ユニット５を納める熱伝導性材から成る灯体ケース７を備え、当該灯体ケース７の正面から反射ユニット５の放物反射面１１の終端開口３５側を突出させ、当該突出させた部位を樹脂製透明カバー４５で覆う構成とした。この構成により、意匠性に優れたＬＥＤ照明器具１が得られ、また、灯体ケース７の前後の長さを短縮できるため軽量化及び低コスト化が可能になる。さらに、反射ユニット５の放物反射面１１の軸長Ｌが従来のものよりも長いため当該反射ユニット５の熱容量が増すことから灯体ケース７の更なる短縮化が可能になる。
【００２６】
＜第２実施形態＞
図６〜図９は、本発明の第２実施形態に係るＬＥＤ照明器具１００の構成を示す図であり、図６は正面からみた斜視図、図７は正面図、図８は側面図、及び図９は背面からみた斜視図である。なお、これらの図において、第１実施形態で説明した部材については同一の符号を付して、その説明を省略する。
これらの図に示すように、ＬＥＤ照明器具１００においては、３つのＬＥＤ９及び放物反射面１１を１列に配置した反射ユニット１０５Ａと、２つのＬＥＤ９及び放物反射面１１を１列に配置した反射ユニット１０５Ｂと、を上下に２段配置した構成としている。各反射ユニット５の製造方法、及び光学特性については、第１実施形態で説明した通りである。
【００２７】
このＬＥＤ照明器具１００においては、約４０Ｗ（ワット）の出力のＬＥＤ９を用いることとし、第１実施形態のＬＥＤ照明器具１よりも高出力化を図っている。
また本実施形態では、放物反射面１１の始端開口３３の径Ｄ２を、約２０．７ｍｍとするとともに、当該始端開口３３から終端開口３５までの軸長Ｌを約１６６ｍｍとし、また、終端開口３５の径Ｄ１を１／２ビーム角が５〜７度（本実施形態では５度）となる径である約１１３．６ｍｍとしている。これにより、第１実施形態と同様に、平行光線が放物反射面１１の長軸に集められて軸光度が向上し、さらに、１／２ビーム角が５〜７度と小さいことから遠方での照射野の拡がりが抑えられて遠方での照度が高められることとなる。
また、このＬＥＤ照明器具１００においては、図７に示すように、上下の反射ユニット１０５Ａ、１０５Ｂは、全てのＬＥＤ９及び放物反射面１１の離間距離であるピッチＰが全て等距離となるように配置されており、照射野での照度ムラ発生を抑制することとしている。
このとき、各列の放物反射面１１から放射された光が所定距離離れた照射野で重なりを有するように各列間のピッチＰが規定される。これにより、ＬＥＤ照明器具１の更なる高出力化が容易にできる。
【００２８】
なお、上述した実施形態は、あくまでも本発明の一態様を例示したものであって、本発明の趣旨を逸脱しない範囲で任意に変形及び応用が可能である。
【００２９】
上述した第２実施形態では、上下段の反射ユニット１０５Ａ、１０５ＢでＬＥＤ９及び放物反射面１１の数を異ならせたが、これに限らず、例えば図１０（Ａ）に示すように、同一個数としても良い。このとき、各列の放物反射面１１から放射された光が所定距離離れた照射野で重なりを有するように各列間のピッチが規定されることは第２実施形態で説明した通りである。なお、図１０（Ｂ）に示すように、ＬＥＤ照明器具１の光軸位置に放物反射面１１を配し、この放物反射面１１を取り囲むように複数の放物反射面１１を配した、同心円状の配置構成とすることで、ＬＥＤ照明器具１の軸光度を更に高めることもできる。この場合において、それぞれの放物反射面１１から放射された光が所定距離離れた照射野で重なりを有するように配置が規定される。
【００３０】
また上述した実施形態において、超狭角配光以外の配光（例えば狭角配光など）を有する放物反射面を反射ユニット５に付加的に設けても良いことは勿論である。
さらに、上述した実施形態において、１つのＬＥＤ９により所定距離離れた照射野で十分な照度が得られる場合には、ＬＥＤ９及び放物反射面１１の数をそれぞれ１つとしても良い。
【００３１】
また上述した実施形態で説明したＬＥＤ照明器具１は、数十メートル〜百数十メートル離れた照射野を十分な明るさで照らすことができることから、高層の建物を演出する投光器として好適に用いることができる。またＬＥＤ照明器具１を複数並べて配置することで、野球場や競技場など、遠方から広範囲を照明する必要があるスタジアム照明にも好適に用いることができる。
【符号の説明】
【００３２】
１、１００  ＬＥＤ照明器具
３  ＬＥＤユニット
５  反射ユニット
７  灯体ケース
９、９Ａ  ＬＥＤ
Ｄ１  終端開口の径
Ｄ２  始端開口の径
１１  放物反射面
１５  ＬＥＤ素子
３０Ａ、３０Ｂ  分割放物反射面ユニット
３１  底部
３３  始端開口
３５  終端開口
４５  樹脂製透明カバー（前面カバー）
Ｋ  長軸
Ｌ  軸長
Ｐ  ピッチ
【図１】
0005612380.tif 000002
【図２】
0005612380.tif 000003
【図３】
0005612380.tif 000004
【図４】
0005612380.tif 000005
【図５】
0005612380.tif 000006
【図６】
0005612380.tif 000007
【図７】
0005612380.tif 000008
【図８】
0005612380.tif 000009
【図９】
0005612380.tif 000010
【図１０】
0005612380.tif 000011